(57)【要約】【課題】トップリンクと左右のロアーリンクとからなる３点支持機構にＡフレームを介してトラクターの後部に自動的に連結支持されるように構成されている散布装置において、標準３点リンクと特殊３点リンクとの両タイプの３点支持機構に対して互換性を持たせた散布装置を提供する。【解決手段】トラクターＢ後部の３点支持機構にＡフレームを介して連結支持させる一方で、トラクターＢ後部から外された状態では左右一対のスタンドバンパーにより自立させる散布装置Ａの平面視略横長矩形状を呈するホッパ１の左右両側に、一対のスタンドバンパーの垂直杆部を、取付部材を介して上下変位自在に取り付け装着することにより、地面Ｇに自立する散布装置Ａのトップピンまでの高さＬを、標準３点リンクと特殊３点リンクとの両タイプに合わせて可変し得るようにした。【選択図】図３
0003103305.tif 000002
【実用新案登録請求の範囲】
【請求項１】
トラクター後部のトップリンクと左右のロアーリンクとからなる３点支持機構にＡフレームを介して上下動自在に連結支持させ且つトラクターからの動力によりホッパ内肥料を、ホッパ底部の各散布口から落下させながら散布する一方で、トラクターの後部から外された状態では一対のスタンドバンパーにより自立する肥料散布装置において、
平面視略横長矩形状を呈するホッパの両側に、一対のスタンドバンパーを上下変位自在又は上下伸縮自在に取り付けて、自立する散布装置の高さを適宜可変し得るように構成してなることを特徴とする肥料散布装置。
【請求項２】
請求項１記載の側面視略Ｌ字状を呈するスタンドバンパーが、ホッパ両側のホッパ機枠に沿って夫々取り付けられる取付部材を介して上下変位自在又は上下伸縮自在に装着され、
前記取付部材は、スタンドバンパーの垂直杆部を前方から嵌入又は下方から摺動自在に挿入し得る横断面形状を成し、長さ方向数ヶ所には止めピンにより前記垂直杆部を適宜の可変位置に定着するピン止め部が設けられてなることを特徴とする肥料散布装着。
【請求項３】
請求項１又は２記載のスタンドバンパーの水平杆部に、キャスター付きスタンドベースを着脱自在に装着することにより、移動走行可能と成し、
前記スタンドベースは、水辺杆部が上方から入る程度の溝幅と長さを有する縦断面略コの字形を呈し、その一端側に水平杆部の開放端側を抜差し自在に挿入係止させる係止部が備えられ、途中部位には止めピンの抜き差しにより前記水平杆部を着脱自在に定着するピン挿通孔が開孔され、更に裏面前後部位にはキャスターが備えられていることを特徴とする肥料散布装置。
【考案の詳細な説明】
【技術分野】
【０００１】
本考案は、粒状や粉状等の肥料又は種子、飼料等をホッパ内の攪拌手段により混合しながら圃場等に落下させて散布する散布装置に係り、特にトラクターの後部に、同後部に作業機連結用として備えられているトップリンクと左右のロアーリンクとからなる３点支持機構にＡフレーム（カプラ）を介して連結支持させるためのフレーム連結用のトップピンとロアーピンを備えている散布装置に関する。
【背景技術】
【０００２】
従来、この種の散布装置としては、円柱状や多角柱状のホッパ内に攪拌手段を配設し、該攪拌手段は、ホッパの軸芯部位に鉛直に配設させる回転軸と、この回転軸から突出長さを異にして放射状に突出させる複数本のアームと、この各アームの突出端に前記回転軸の回転方向前方に突出するように設けるすくい角のある攪拌翼とを備えてなり、そして、トップリンクと左右のロアーリンクとからなる３点支持機構によりトラクターの後部に連結装着されるをもって、トラクター後部の出力軸（ＰＴＯ）からユニバーサルジョイントを介して入力軸（ＰＩＣ）に伝達される動力により攪拌手段を駆動回転させて、ホッパ内に投入された数種類の肥料等を攪拌混合しながら落下させて散布するように構成さている（特許文献１参照）。
【０００３】
ところで、散布装置は1年間を通してトラクターの後部に装着されているものではなく、散布作業が終了した後には取り外され、散布装置が取り外されたトラクターの後部には圃場や水田を耕すロータリー等の他の作業装置が装着される等、散布装置は散布作業時期のみ使用されるものである。
そのために、近年においてはトラクターに対する着脱が短時間で簡便に行い得るように、３点支持機構のトップリンクと左右のロアーリンクにオートヒッチ用のＡフレームを備え、このＡフレームを介して散布装置を自動的に連結支持させることができるように開発が進化してきている。
即ち、地面に自立姿勢で置かれている散布装置の一側に備えられているトップピンの斜め下方に、前記Ａフレームの上部フック部が位置するように、トラクターを後退させ、同上部フック部がトップピンの斜め下方に位置したところで、リフトアームを動作させて前記上部フック部をトップピンに引っ掛けてＡフレームで下からすくい上げるように散布装置を持ち上げながらトラクター側に引き寄せる。すると、これらの動きにより、同じく散布装置の一側に備えられている左右のロアーピンがＡフレームの下部左右フック部に連結され、同時にトラクター側に備えられているユニバーサルジョイントが散布装置の入力軸に連結される各部の連結が自動的に行なわれるように開発されている。
【０００４】
そして、３点支持機構には標準３点リンクタイプと特殊３点リンクタイプとの２つのタイプがある。
因みに、標準３点リンクは、様々な作業機が装着できるようにＪＩＳ規格で定められており、日本の作業機だけでなく世界の作業機が装着できる仕様規格にもなっている。この標準３点リンクのトップリンクの両端にはターンバックルが備えられていて長さの調節ができるようになっている。
一方、特殊３点リンクは、小形トラクターの普及が著しく水田耕うんの多い日本において小型トラクター仕様として独自に開発されたものである。この特殊３リンクのトップリンクの長さは標準３点タイプに比べて短く、ターンバックルが片側にしか備えられていないものである。
従って、前述したように、トップリンクと左右のロアーリンクに亘り備えられるオートヒッチ用のＡフレームによる自動連結を行うとした場合、トップリンクの長さの違いやトラクターを大きさの違いによって、Ａフレームの上部フック部の高さが標準３点リンクタイプと特殊３点リンクタイプでは異なる。つまり、小形トラクター仕様の特殊３点リンクにおいては標準３点リンクに比べてＡフレームの上部フック部の高さが低くなるため、この高さの違いを地面から自立する散布装置の高さ（つまり、連結作業時にＡフレームの上部フック部が連結掛止する散布装置側のトップピンの地面からの高さ）を変えてやることで、対応するしかなかった。
【０００５】
また、従来の散布装置は図面から明らかなように、トラクターの後部から外された状態で横転することなく自立するための脚台を備えている。この脚台は、装置を自立させるスタンドとしての役目に加えて、トラクター後部の３点支持機構による装置の上下移動、特に下降された時に装置の地面へと衝突を防ぐバンパーとしての役目を成すものである。
従って、従来装置は、自立するものの、自立走行するための走行手段が備えられていないことから、例えば保管場所等への搬送は作業者自身が数人で持ち上げたり、台車等に載せて運ばなくてはならず、取扱い上において問題をあった。
【０００６】
【特許文献１】実公平４-５３２３１号公報
【考案の開示】
【考案が解決しようとする課題】
【０００７】
本考案はこの様な従来事情に鑑みて成されたものであり、その解決しようとする課題は、トップリンクと左右のロアーリンクとからなる３点支持機構にＡフレームを介してトラクターの後部に自動的に連結支持されるように構成されている散布装置において、標準３点リンクと特殊３点リンクとの両タイプの３点支持機構に対して自動的に着脱し得るように互換性を持たせた散布装置を提供することにある。
【課題を解決するための手段】
【０００８】
上記課題を解決するために本考案は、請求項１では、トラクター後部のトップリンクと左右のロアーリンクとからなる３点支持機構にＡフレームを介して上下動自在に連結支持させ且つトラクターからの動力によりホッパ内肥料を、ホッパ底部から落下させながら散布する一方で、トラクターの後部から外された状態では左右一対のスタンドバンパーにより自立させる肥料散布装置において、
平面視略横長矩形状を呈するホッパの左右両側に、一対のスタンドバンパーの垂直杆部を上下変位自在又は上下伸縮自在に取り付けてスタンドバンパーを装着することにより、自立する散布装置の高さを適宜可変し得るように構成してなることを特徴とする肥料散布装置にある。
ここで、スタンドパンパーの具体的な構造を挙げるならば、適宜の太さと長さを有する丸パイプ材から側面視略Ｌ字状に折り曲げ形成されてなる垂直杆部と水平杆部から構成することが好適なものとなる。その理由として、散布作業時に障害にならずにホッパ底部の散布導管を確実に保護、そしてトラクターから取り外された状態では散布装置を確実に自立させることができる等の利点がある。
そして、自立する散布装置の高さとは、自立する地面からホッパの長辺一側に具備されるトップピンまでの高さを意味する。
【０００９】
また、請求項２では、請求項１記載の側面視略Ｌ字状を呈するスタンドバンパーが、ホッパ両側のホッパ機枠に沿って夫々略垂直に取り付けられる取付部材を介して上下変位自在又は上下伸縮自在に装着され、
前記取付部材は、スタンドバンパーの垂直杆部を前方から嵌入又は下方から摺動自在に挿入し得る横断面形状を成し、長さ方向数ヶ所には止めピンにより前記垂直杆部を適宜の可変位置に定着させるピン止め部が設けられてなることを特徴とする肥料散布装着にある。
【００１０】
また、請求項３では、請求項１又は２記載のスタンドバンパーの水平杆部に、キャスター付きスタンドベースを着脱自在に装着することにより、移動走行可能と成し、
前記スタンドベースは、水辺杆部が上方から入る程度の溝幅と長さを有する縦断面略コの字形を呈し、その一端側に水平杆部の開放端側を抜差し自在に挿入係止させる係止部が備えられ、途中部位には止めピンの抜き差しにより前記水平杆部に着脱自在に定着させるピン挿通孔が開孔されてなることを特徴とする肥料散布装置にある。
【考案の効果】
【００１１】
本考案の肥料散布装置によれば、叙上の如く構成してなることから下記の作用効果を奏する。
請求項１によれば、散布作業時にホッパ底部の散布導管を保護し、且つ、トラクターから取り外された散布装置を自立させる一対のスタンドバンパーを、ホッパの両側に上下変位自在又は上下伸縮自在に取り付けて、自立する散布装置の高さを可変し得るようにした。
即ち、一対のスタンドバンパーにより自立する散布装置をトラクター後部へ連結する際において、トップリンクと左右のロアーリンクとからなる３点支持機構に支持されて装着されるオートヒッチ用のＡフレームの上部フック部が掛止連結するトップピンまでの高さＬを、スタンドバンパーのホッパに対する上下変位又は上下伸縮により可変し得るように構成してなることで、従来では不可能とされた標準３点リンク、そして特殊３点リンクを夫々後部に備えるトラクターへの散布装置の自動連結が可能となる。
従って、標準３点リンクと特殊３点リンクとの両タイプの３点支持機構に対して互換性を持たせた散布装置を提供することができる。
よって、標準３点リンク仕様のトラクターから特殊３点リンク仕様のトラクターに買え変えた場合等には、スタンドバンパーのホッパに対する取り付けを可変することで、特殊３点リンク仕様の散布装置に買え変えることなく継続して使用することができ、他方、製造販売側においては標準３点リンク仕様と特殊３点リンク仕様に応じた夫々の散布装置をに製作する必要がなく、一種類の散布装置の製作ですむことから、生産性と在庫管理面等においても大きな効果が期待でき、有益である。
【００１２】
請求項２記載によれば、請求項１記載の効果に加えて、ピンへの引っ掛けやピンの抜き差し等のピン止めによりスタンドバンパーの上下変位又は上下伸縮が可能となり、標準３点リンクと特殊３点リンクとの両タイプの３点支持機構に合わせたトップピンの高さＬ変更が簡単であり、取扱い性においても有益である。
【００１３】
請求項３記載によれば、請求項１及び２記載の効果に加えて、トラクターの後部から外された散布装置を、スタンドバンパーの水平杆部に装着したキャスター付きスタンドベースにより走行移動させて保管場所まで搬送することができる。また、スタンドベースの水平杆部に対する着脱が、ピン挿通孔に対する１本の止めピンの抜き差しにより行うことができることで、散布装置をトラクターの後部から取り外す際には簡単且つ容易に装着することができる。
【考案を実施するための最良の形態】
【００１４】
本考案の最良の実施形態を図１〜図に基づいて説明する
【実施例１】
【００１５】
図１は、本考案散布装置Ａの実施形態の一例を示し、１はホッパ、２は攪拌手段、３ははスタンドバンパー、４は左右一対のスタンドベースであり、このスタンドベース４を左右のスタンドバンパー３の後述する水平杆部に脱着自在に装着することにより、トラクターＢの後部に、トップリンク5-1と左右のロアーリンク5-2とからなる３点支持機構５にＡフレーム６を介して上下動自在に連結支持させる連結作業時において走行移動、そして、トラクターＢの後部から取り外された散布装置Ａが作業者の手押しで走行移動し得るようにしてなる。
【００１６】
散布装置Ａは、トラクターＢの機体B-1後部に取り付け装設されている３点支持機構５にＡフレーム６を介してトラクターＢ後部に上下動自在に連結支持され、且つ、入力軸（ＰＩＣ）７が機体B-1後部から突出する不図示の出力軸（ＰＴＯ）にユニバーサルジョイント８を介して連結されることにより、出力軸からの動力によりホッパ１内の攪拌手段２が回転駆動せしめて、ホッパ１内に投入された数種類の肥料等を、ホッパ１の長手方向に横送り往復移送せしめて均質に攪拌混合せしめながらホッパ１底部のシャッターユニット９の各散布口（図示せず）から散布導管10を通して圃場に落下散布するようにしてある。
【００１７】
因みに、ユニバーサルジョイント８は、一端側が出力軸に連結されると共に、他端側がＡフレーム６に支持された状態でトラクターＢの後部に３点支持機構５と共に装着されていて、散布装置ＡがトラクターＢの後部に連結支持されると同時にその他端側が散布装置Ａの入力軸７に抜差し自在に連結（結合）されるようになっている。
【００１８】
ホッパ１は、適宜の長さ（略２ｍ前後）を有する平面視略横長矩形状で、上部並びに底部を開口させた箱型に形成され、長手方向に開口する開口底部にはシャッターユニット９が組み込み装着され、内部には攪拌手段２が長手方向に亘り回転架橋状に配設されるように形成されている。
【００１９】
また、ホッパ１の長辺一側（トラクターＢへの連結側）の中央部位に、入力軸７を有するミッション部12が、両側のホッパ機枠1-1に亘り架橋状に取り付けられている丸パイプ13に定着具備されており、このミッション部12のミッション軸の一端側が、攪拌手段２の回転主軸の一端側にスプロケットと、この両スプロケットに亘り巻回装架するチェーンとにより連繋され、ユニバーサルジョイント８を介して入力軸７に伝動されてくるトラクターＢ後部の出力軸からの動力が攪拌手段２に伝達されて、該攪拌手段２が所定の速度で駆動回転するように形成されてなる。
【００２０】
また、ミッション部12が具備されているホッパ１の長辺一側には左右のホッパ機枠1-1間に亘り略架橋状に取り付けられている角パイプ14に支持ブラケット15を介してトップピン16が具備され、同下方部位において架橋状に取り付けられている前記丸パイプ13には支持ブラケット17を介して左右のロアーピン18が具備されており、トラクターＢの３点支持機構５のトップリンク5-1、左右のロアーリンク5-2夫々のリンクヒッチにピン止めにより連結されて、トップリンク5-1、ロアーリンク5-2に亘り装着されるＡフレーム６によって散布装置Ａが、トラクターＢの後部に自動的に連結支持され、また、Ａフレーム６から自動的に取り外されるように構成されている。
【００２１】
而して、図７に示すように、地面Ｇに自立姿勢で置かれている散布装置Ａの前記トップピン16の斜め下方に、Ａフレーム６の上部フック部11-1部が位置するようにトラクターＢを後退させ、同上部フック部11-1がトップピン16の斜め下方に位置したところで、左右のロアーリンク5-2を、リフトロッド5-3を介して連結するリフトアーム5-4を動作させてＡフレーム６を上昇させながら前記上部フック部11-1をトップピン16に引っ掛け、継続するＡフレーム６の上昇動作により下からすくい上げるように散布装置Ａを持ち上げながら同装置ＡをトラクターＢ側に引き寄せる。
すると、これらの動きにより、前記左右のロアーピン18がＡフレーム６の下部左右フック部11-2に連結され、同時にトラクターＢ側に備えられているユニバーサルジョイント８が散布装置Ａの入力軸７に連結される各部の連結が自動的に行なわれるようになっている。
尚、Ａフレーム６の上下左右の各フック部11-1，11-2にトップピン16、ロアーピン18が夫々受け止め掛止されると、その掛止状態が自動でロック保持されるようになっている。
【００２２】
そして、散布作業の終了後において、散布装置Ａを地面Ｇに降ろし、不図示のロック解除レバー操作でＡフレーム６の各フック部11-1，11-2に対する散布装置Ａのトップピン16、ロアーピン18のロック状態を解除した後に、リフトアーム5-4を動作させてＡフレーム６を下降させる動きをさせると、左右のロアーピン18から左右のフック部11-2が外れ、同時に入力軸７に対するユニバーサルジョイント８の連結が外れ、最後にトップピン16から上部フック部11-1から外れて、散布装置ＡがトラクターＢの後部から自動的に取り外されるようになっている。
【００２３】
攪拌手段２は、ホッパ１の短辺両側間に亘り回転架橋状に配される回転主軸2-1と、この回転主軸2-1の周りに同軸状で逆巻きに巻回支持される大径リボンスクリュー2-2と小径リボンスクリュー2-3とを備え、この両スクリュー2-2，2-3の夫々の逆巻き回転により、ホッパ１内に投入される数種類の肥料等をホッパ１の長手方向一方から他方側へ、他方から一方側へと横送り攪拌移送することを継続的に繰り返しながら肥料等を均質に混合攪拌せしめるように構成されてなる。
【００２４】
スタンドバンパー３は、散布装置Ａを地面Ｇに自立させると共に、散布作業時においては混合された肥料等が落下導入される散布導管10等が地面Ｇに叩き付けられて損傷しないように保護する役目を成すものであり、適宜の太さと長さを有する丸パイプ材から側面視略Ｌ字状に折り曲げ形成されてなる垂直杆部3-1と水平杆部3-2とで構成され、垂直杆部3-1をホッパ１の長辺一側の左右ホッパ機枠1-1に取付部材19を介して上下変位自在に取り付けることにより、地面Ｇに自立する散布装置Ａの高さＬを標準３点リンクと特殊３点リンクに合わせることができるようにしてある。
ここで、高さＬは、図示したように地面Ｇからホッパ１の長辺一側面に備えられているトップピン16までの高さである。
【００２５】
また、スタンドバンパー３の垂直杆部3-1の所定部位には上下２ヶ所の止めピン20による取付部材19に対する取付位置変更により、地面Ｇに自立する散布装置Ａの高さＬを標準３点リンクと特殊３点リンクに合わせて可変変更するための標準３点リンク用と特殊３点リンク用のピン挿通孔21〜23が夫々設けられている。
【００２６】
取付部材19は、スタンドバンパー３の垂直杆部3-1が入る程度の溝幅を有する横断面略コの字形を呈する型材を用いて所定の長さに形成してなる。本例では図示したように、長さを変えた上下２〜３部材からなり、ホッパ１の長辺一側における両側のホッパ機枠1-1の上下位置に前方開口状態（両側壁を前方に向けた状態）で溶接等の固着手段にて夫々配設する。
そして、取付部材19の両壁には図示たように、止めピン20への引っ掛けとその差し替えによりスタンドバンパー３の定着位置を上下に変位させる標準３点リンク用と特殊３点リンク用のピン止め部が、スタンドバンパー３の各ピン挿通孔21〜23の上下間隔にて夫々設けられている。
【００２７】
ピン止め部は、特殊３点リンク専用となる上部ピン挿通孔24と、標準３点リンク専用となる中間ピン挿通孔25との孔形態のものと、標準３点リンク用と特殊３点リンク用を兼ねる下部ピン引掛け部26の凹欠形態からなり、止めピン20の抜き差し、そして、上記スタンドバンパー３の垂直杆部3-1の下部ピン挿通孔23に装着されている止めピン20への引っ掛けによりスタンドバンパー３のホッパ機枠1-1への着脱が行われるように形成されてなる。
【００２８】
而して、図３に示すように、スタンドバンパー３の中間ピン挿通孔22に止めピン20を取り付けた状態で、該止めピン20をホッパ機枠1-1側の取付部材19の下部ピン引掛け部26に引掛け、この状態で垂直杆部3-1を取付部材19に嵌め込む。すると、垂直杆部3-1の上部ピン挿通孔21がホッパ機枠1-1側の取付部材19の中間ピン挿通孔25に位置し、この両ピン挿通孔21，25に止めピン20を差し込んで一対のスタンドバンパー３を左右両側のホッパ機枠1-1に装着することで、地面Ｇから散布装置Ａ側のトップピン16までの高さＬが、標準３点リンクに合わせた高さとなる（図３（ｂ）の状態）。
そして、この標準３点リンクタイプから止めピン20を外し、スタンドバンパー３を取り外した後に、図４に示すように、同バンパー３の下部ピン挿通孔23に止めピン20を差し替え取り付けた状態で、該止めピン20をホッパ機枠1-1側の取付部材19の下部ピン引掛け部26に引掛け、この状態で垂直杆部3-1を取付部材19に嵌め込む。すると、垂直杆部3-1の上部ピン挿通孔21がホッパ機枠1-1側の取付部材19の上部ピン挿通孔24に位置し、この両ピン挿通孔21，24に止めピン20を差し込んで一対のスタンドバンパー３をホッパ１の左右両側のホッパ機枠1-1に装着することで、地面Ｇから散布装置Ａのトップピン16までの高さＬ1が、トップリンク5-1と左右のロアーリンク5-2とからなる３点支持機構５にＡフレーム６を用いて連結を行う特殊３点リンクに合わせた高さとなし得るものである。
【００２９】
散布装置ＡのトラクターＢからの着脱時においてスタンドバンパー３に着脱自在に取り付けられるキャスター付きスタンドベース４は、取り外された散布装置Ａを保管場所へ移動する際に作業者の手押しによる走行移動、そして、トラクターＢの後部に散布装置Ａを取り付ける際の連結作業時において装置Ａがリフトリンク5-4の動作に伴うＡフレーム６の動きによりトラクターＢ側に引き寄せられる際に走行移動するように、散布装置ＡのトラクターＢからの着脱時においてスタンドバンパー３に装着される。
従って、前述した高さＬ、Ｌ1は、スタンドベース４がスタンドバンパー３の水平杆部3-2に装着された状態における地面Ｇから散布装置Ａ側のトップピン16までの高さとなる。
【００３０】
スタンドベース４は、スタンドバンパー３の水辺杆部3-2が入る程度の溝幅と長さを有する縦断面略コの字形を呈し、その一端側に水平杆部3-2の開放端側を挿入係止させる係止部27が備えられ、途中部位には止めピン28の抜き差しにより前記水平杆部3-2を着脱自在に定着させるピン挿通孔29が開孔されている。
そして、スタンドベース４の裏面前後部位にはキャスター30が備えられており、散布装置Ａの自立と移動走行を可能にしてなる。
【００３１】
係止部27は、スタンドバンパー３の水平杆部3-2を抜差し自在に挿入係止させる係止孔27-1であり、この係止孔27-1が開孔された板材を、スタンドベース４の一端側に固着配設せしめる。
尚、係止部27は孔形状に限らず、水平杆部3-2を下方、左右方向に不動に受け止めることができる例えばＵ字形の凹欠部でも良く、任意である。
【００３２】
ピン挿通孔29は、止めピン28により上記水平杆部3-2をスタンドベース４に定着させるためのものであり、前記水平杆部3-2に開孔されているピン挿通孔31の開孔位置に合わせてスタンドベース４の両壁に開孔し、水平杆部3-2が図示のようにスタンドベース４内に嵌め込まれた状態において止めピン28を挿通せしめることで、スタンドベース４をスタンドバンパー３に定着し得るように形成してなる（図３〜図６参照）。
【００３３】
而して、スタンドベース４のスタンドバンパー３に対する着脱は、１本の止めピン28による抜き差しにより行うことができる。よって、容易且つ簡便で、取扱い性の向上が図られる。
【実施例２】
【００３４】
図８は、他の実施例を示し、斯かる実施例では左右のスタンドバンパー３の垂直杆部3-1をホッパ１の左右ホッパ機枠1-1に取付部材31を介して上下伸縮自在に装着してなる。
即ち、スタンドバンパー３の垂直杆部3-1を摺動自在に挿入連結させる内径を有するパイプ材を用いて、ホッパ機枠1-1の高さ略全長に亘る程度の長さに形成された取付部材31をホッパ１の左右両側のホッパ機枠1-1に溶接等の固着手段により取り付け、前述したように、止めピン20への引っ掛けとその抜き差しによりスタンドバンパー３を上下伸縮自在に装着し、これより、地面Ｇからの高さＬ，Ｌ1を、標準３点リンクと特殊３点リンクに合わせて可変変更し得るようにしてなる。図では特殊３点リンク仕様にて示す。
尚、斯かる実施例におけるスタンドバンパー３の構造、このバンパー３の垂直杆部3-1に対するピン挿通孔21〜23の開孔位置においては前述の実施例と基本的に同じことから、重複説明を省略する。
【００３５】
そして、パイプ材からなる取付部材31には前述実施例のように、特殊３点リンク専用となる上部ピン挿通孔24と、標準３点リンク専用となる中間ピン挿通孔25と、標準３点リンク用と特殊３点リンク用を兼ねる下部ピン引掛け部26を夫々設けて、止めピン20の抜き差しによりスタンドバンパー３を上下伸縮自在と成し、地面Ｇからの高さＬ1を特殊３点リンクに合わせて可変変更し得るようにしてなる。
【図面の簡単な説明】
【００３６】
【図１】本考案の肥料散布装置をトラクターの後部に取り付けた状態の実施形態の一例を示す側面図
【図２】開口蓋を取り外した状態の同散布装置
【図３】標準３点リンク仕様にスタンドバンパーを装着する状態を示す同散布装置の側面図で、（ａ）は装着する前の状態を示し、（ｂ）は装着した状態を示す
【図４】特殊３点リンク仕様にスタンドバンパーを装着する状態を示す同散布装置の側面図で、（ａ）は装着する前の状態を示し、（ｂ）は装着した状態を示す
【図５】スタンドバンパーへのスタンドベースの取付状態を示す側面図で、スタンドベースの一部を切欠して示す
【図６】特殊３点リンク仕様にスタンドバンパーとスタンドベースを装着した状態の同斜視図
【図７】標準３点リンク仕様にて散布装置をトラクター後部に連結する状態の一例を示す側面図
【図８】他の実施形態として特殊３点リンク仕様にスタンドバンパーを装着する一例を示す散布装置の側面図で、（ａ）は装着する前の状態を示し、（ｂ）は装着した状態を示す他の実施形態を示す
【符号の説明】
【００３７】
Ａ：散布装置                  １：ホッパ
1-1 ：ホッパ機枠              ２：攪拌手段
３：スタンドバンパー          3-1 ：垂直杆部
3-2 ：水平杆部                ４：スタンドベース
５：３点支持機構              5-1 ：トップリンク
5-1 ：ロアーリンク            ６：Ａフレーム
７：入力軸                    ８：ユニバーサルジョイント
16：トップピン                18：ロアーピン
19，31：取付部材              20，28：止めピン
21〜25，29：ピン挿通孔        26：ピン引掛け部
27：係止部                    27-1：係止孔
【図１】
0003103305.tif 000003
【図２】
0003103305.tif 000004
【図３】
0003103305.tif 000005
【図４】
0003103305.tif 000006
【図５】
0003103305.tif 000007
【図６】
0003103305.tif 000008
【図７】
0003103305.tif 000009
【図８】
0003103305.tif 000010